(57)【要約】    【課題】  入力信号に基づくクランプ動作を行わないようにすることができる映像信号処理装置を提供すること。    【解決手段】  本発明では、入力信号に対して所定の信号処理を行うことで出力信号を生成する映像信号処理装置において、前記入力信号に基づいて前記出力信号を所定の直流電圧レベルにクランプする使用モードと、前記入力信号に基づくクランプを行わない検査モードとを有することにした。具体的には、前記入力信号に対する所定の処理を行うメイン処理回路と、このメイン処理回路と同様の処理を行うサブ処理回路と、このサブ処理回路から出力される信号を直流電圧レベルにクランプするためのクランプ電流を前記メイン処理回路及びサブ処理回路にそれぞれ帰還する電流帰還型クランプ回路と、前記サブ処理回路に入力する信号を前記入力信号又は一定の直流電圧信号に切換える切換スイッチとで構成した。【選択図】      図３
2005269048.tif 000002
【特許請求の範囲】
【請求項１】
入力信号に対して所定の信号処理を行うことで出力信号を生成する映像信号処理装置において、
前記入力信号に基づいて前記出力信号を所定の直流電圧レベルにクランプする使用モードと、前記入力信号に基づくクランプを行わない検査モードとを有することを特徴とする映像信号処理装置。
【請求項２】
入力信号に対して所定の処理を行うことで出力信号を生成する信号処理回路を有する映像信号処理装置において、
前記信号処理回路は、
前記入力信号に対する所定の処理を行うメイン処理回路と、
このメイン処理回路と同様の処理を行うサブ処理回路と、
このサブ処理回路から出力される信号を直流電圧レベルにクランプするためのクランプ電流を前記メイン処理回路及びサブ処理回路にそれぞれ帰還する電流帰還型クランプ回路と、
前記サブ処理回路に入力する信号を前記入力信号又は一定の直流電圧信号に切換える切換スイッチと、
を有することを特徴とする映像信号処理装置。
【請求項３】
入力信号に対して所定の処理を行うことで出力信号を生成する信号処理回路において、
前記入力信号に対する所定の処理を行うメイン処理回路と、
このメイン処理回路と同様の処理を行うサブ処理回路と、
このサブ処理回路から出力される信号を直流電圧レベルにクランプするためのクランプ電流を前記メイン処理回路及びサブ処理回路にそれぞれ帰還する電流帰還型クランプ回路と、
前記サブ処理回路に入力する信号を前記入力信号又は一定の直流電圧信号に切換える切換スイッチと、
を有することを特徴とする信号処理回路。
【発明の詳細な説明】
【技術分野】
【０００１】
本発明は、映像信号処理装置及び信号処理回路に関するものである。
【背景技術】
【０００２】
従来より、入力信号に対して所定の処理を行うことで出力信号を生成する信号処理装置においては、入力信号に基づいて所定のタイミングで出力信号の電圧レベルを所定の直流電圧レベルにクランプするように構成した信号処理回路が広く用いられている。
【０００３】
たとえば、映像信号の処理を行う映像信号処理装置では、入力される映像信号の水平ブランキング期間の電圧レベルを一定の直流電圧レベルにクランプすることによって、映像信号の輝度レベルを一致させるようにしている。
【０００４】
具体的に説明すると、図５に示す信号処理回路101では、処理回路102にクランプ回路103を接続し、このクランプ回路103で処理回路102の出力信号を所定の直流電圧レベルにクランプするようにしている。
【０００５】
このクランプ回路103は、差動増幅器104の反転入力端子に処理回路102の出力端子を接続する一方、差動増幅器104の非反転入力端子に基準電圧源E101を接続している。
【０００６】
そして、クランプ回路103は、クランプパルス信号S101がアクティブ状態のときに差動増幅器104によって処理回路102の出力信号の電圧レベルと基準電圧源E101の電圧レベルとの差に応じたクランプ電流icを生成し、そのクランプ電流icを処理回路102に電流帰還させることで、処理回路102の出力信号の電圧レベルと基準電圧源E101の電圧レベルとを一致させ、これによって、処理回路102の出力信号を所定の直流電圧レベル（ここでは、基準電圧源E101の電圧レベル）にクランプするようにしている。すなわち、クランプ回路103は、処理回路102から出力される信号を直流電圧レベルにクランプするためのクランプ電流icを処理回路102に帰還する電流帰還型クランプ回路となっている。
【０００７】
このような信号の電圧レベルを所定の直流電圧レベルにクランプするように構成した信号処理回路では、常にクランプ動作を行うようになっていた。
【特許文献１】特開２００３−３４８４６４号公報
【発明の開示】
【発明が解決しようとする課題】
【０００８】
ところが、従来の信号処理回路101にあっては、常にクランプ動作を行うようにしていたために、入力信号として一定周期の正弦波信号を入力することによって出力信号の周波数特性を正確に測定することが困難であった。
【０００９】
すなわち、図６に示すように、信号処理回路101に一定周期の正弦波信号を入力した場合に、この正弦波信号とは異なる周期のクランプパルスに基づいて入力信号のクランプが行われると、クランプするタイミングごとに正弦波信号の電圧レベルが異なってしまうことから、一定の直流電圧レベルにクランプすることができず、信号処理回路101で処理する信号に歪が生じてしまい、その結果、出力信号の周波数特性を正確に測定することができなかった。
【００１０】
特に、図５に示した信号処理回路101のように、電流帰還型のクランプ回路103を用いて出力信号をクランプする場合には、クランプ電流icを処理回路102に帰還させることで処理回路102自体で出力信号のクランプを行っており、クランプ回路103だけで独立してクランプ動作を行っているのではなく、処理回路102とクランプ回路103とが一体となって信号処理動作とクランプ動作とを行っているために、クランプ回路103の動作だけを停止してクランプ動作を行わないようにすると、処理回路102で正確な処理が行えなくなるおそれがあった。
【課題を解決するための手段】
【００１１】
そこで、請求項１に係る本発明では、入力信号に対して所定の信号処理を行うことで出力信号を生成する映像信号処理装置において、前記入力信号に基づいて前記出力信号を所定の直流電圧レベルにクランプする使用モードと、前記入力信号に基づくクランプを行わない検査モードとを有することにした。
【００１２】
また、請求項２に係る本発明では、入力信号に対して所定の処理を行うことで出力信号を生成する信号処理回路を有する映像信号処理装置において、前記信号処理回路は、前記入力信号に対する所定の処理を行うメイン処理回路と、このメイン処理回路と同様の処理を行うサブ処理回路と、このサブ処理回路から出力される信号を直流電圧レベルにクランプするためのクランプ電流を前記メイン処理回路及びサブ処理回路にそれぞれ帰還する電流帰還型クランプ回路と、前記サブ処理回路に入力する信号を前記入力信号又は一定の直流電圧信号に切換える切換スイッチとを有することにした。
【００１３】
また、請求項３に係る本発明では、入力信号に対して所定の処理を行うことで出力信号を生成する信号処理回路において、前記入力信号に対する所定の処理を行うメイン処理回路と、このメイン処理回路と同様の処理を行うサブ処理回路と、このサブ処理回路から出力される信号を直流電圧レベルにクランプするためのクランプ電流を前記メイン処理回路及びサブ処理回路にそれぞれ帰還する電流帰還型クランプ回路と、前記サブ処理回路に入力する信号を前記入力信号又は一定の直流電圧信号に切換える切換スイッチとを有することにした。
【発明の効果】
【００１４】
そして、本発明では、以下に記載する効果を奏する。
【００１５】
すなわち、請求項１に係る本発明では、入力信号に対して所定の信号処理を行うことで出力信号を生成する映像信号処理装置において、入力信号に基づいて出力信号を所定の直流電圧レベルにクランプする使用モードと、入力信号に基づくクランプを行わない検査モードとを有することにしているために、通常の動作を行わせる使用時には使用モードとすることで入力信号に基づいて出力信号を所定の直流電圧レベルにクランプすることができるとともに、周波数特性を測定する場合などの検査時には検査モードとすることで入力信号に基づくクランプ動作が行われず、これによって、単一周期の正弦波信号を入力信号として用いて映像信号処理装置の周波数特性などを精度良く測定することができ、映像信号処理装置の性能を向上させることができる。
【００１６】
また、請求項２に係る本発明では、入力信号に対して所定の処理を行うことで出力信号を生成する信号処理回路を有する映像信号処理装置において、信号処理回路が、入力信号に対する所定の処理を行うメイン処理回路と、このメイン処理回路と同様の処理を行うサブ処理回路と、このサブ処理回路から出力される信号を直流電圧レベルにクランプするためのクランプ電流を前記メイン処理回路及びサブ処理回路にそれぞれ帰還する電流帰還型クランプ回路と、サブ処理回路に入力する信号を入力信号又は一定の直流電圧信号に切換える切換スイッチとを有することにしているために、通常の動作を行わせる使用時には切換スイッチによってサブ処理回路に入力する信号をメイン処理回路の入力信号にすることで、この入力信号に基づいて出力信号を所定の直流電圧レベルにクランプすることができるとともに、周波数特性を測定する場合などの検査時には切換スイッチによってサブ処理回路に入力する信号を一定の直流電圧信号にすることで、この直流電圧信号に基づくクランプ動作が行われる一方、入力信号に基づくクランプ動作が行われず、これによって、単一周期の正弦波信号を入力信号として用いて映像信号処理装置の周波数特性などを精度良く測定することができ、映像信号処理装置の性能を向上させることができる。
【００１７】
また、請求項３に係る本発明では、入力信号に対して所定の処理を行うことで出力信号を生成する信号処理回路において、入力信号に対する所定の処理を行うメイン処理回路と、このメイン処理回路と同様の処理を行うサブ処理回路と、このサブ処理回路から出力される信号を直流電圧レベルにクランプするためのクランプ電流を前記メイン処理回路及びサブ処理回路にそれぞれ帰還する電流帰還型クランプ回路と、サブ処理回路に入力する信号を前記入力信号又は一定の直流電圧信号に切換える切換スイッチとを有することにしているために、通常の動作を行わせる使用時には切換スイッチによってサブ処理回路に入力する信号をメイン処理回路の入力信号にすることで、この入力信号に基づいて出力信号を所定の直流電圧レベルにクランプすることができるとともに、周波数特性を測定する場合などの検査時には切換スイッチによってサブ処理回路に入力する信号を一定の直流電圧信号にすることで、この直流電圧信号に基づくクランプ動作が行われる一方、入力信号に基づくクランプ動作が行われず、これによって、単一周期の正弦波信号を入力信号として用いて信号処理回路の周波数特性などを精度良く測定することができ、信号処理回路の性能を向上させることができる。
【発明を実施するための最良の形態】
【００１８】
本発明に係る映像信号処理装置は、入力信号に対して所定の信号処理を行うことで出力信号を生成する複数の信号処理回路を内蔵しており、外部の制御信号によって動作モードを通常使用時の使用モードと検査時の検査モードとに切替えられるように構成したものである。
【００１９】
そして、映像信号処理装置は、使用モードでは入力信号に基づいて出力信号を所定の直流電圧レベルにクランプし、一方、検査モードでは入力信号に基づくクランプを行わないようにしている。
【００２０】
そのため、映像信号処理装置では、通常の動作を行わせる使用時には使用モードとすることで入力信号に基づいて出力信号を所定の直流電圧レベルにクランプすることができるとともに、周波数特性を測定する場合などの検査時には検査モードとすることで入力信号に基づくクランプ動作が行われず、これによって、単一周期の正弦波信号を入力信号として用いて映像信号処理装置の周波数特性などを精度良く測定することができ、映像信号処理装置の性能を向上させることができるものである。
【００２１】
以下に、本発明に係る映像信号処理装置の具体的な構成について図面を参照しながら説明する。
【００２２】
映像信号処理装置１は、図１に示すように、輝度信号Ｙと色差信号Cb,Crを入力信号とし、これを入力クランプ回路２で一定の直流電圧レベルにクランプし、輝度信号Ｙを輝度信号処理回路３で信号処理するとともに、色差信号Cb,Crを色差信号処理回路４で信号処理し、その後、マトリクス変換回路５でマトリクス変換処理を行うことでＲＧＢ信号を生成し、さらに、このＲＧＢ信号をＲＧＢ信号処理回路６で各種の信号処理を行って出力するようにしている。
【００２３】
この映像信号処理装置１では、入力クランプ回路２やマトリクス変換回路５やＲＧＢ信号処理回路６において、各回路2,5,6の入力信号に基づいて出力信号を一定の直流電圧レベルにクランプしている。
【００２４】
そのため、こららの回路2,5,6に単一周期の正弦波などの検査用の信号を入力して、そのまま各回路2,5,6にクランプ動作を行わせると、信号に歪が生じてしまう。
【００２５】
そこで、本発明に係る映像信号処理装置１では、検査用の信号を入力した場合でも、信号に歪を生じさせないように各回路2,5,6に変更を加えている。
【００２６】
まず、入力クランプ回路２では、図２に示すように、コンデンサC1を接続し、このコンデンサC1を増幅器AMP1の非反転入力端子にバッファBUF1を介して接続し、この増幅器AMP1の反転入力端子に基準電圧源E1を接続しており、この増幅器AMP1をクランプパルス信号S1に基づいて動作させることでコンデンサC1で充放電を行い、これによって入力信号を基準電圧源E1の直流電圧レベルにクランプするようにしており、このコンデンサC1の出力側に抵抗R1を接続するとともに、この抵抗R1に基準電圧源E1と同一電圧を発生する基準電圧源E2を接続することによって、クランプパルス信号S1にかかわらず常に入力信号を基準電圧源E2の直流電圧レベルまで昇圧して、結果的に入力信号を基準電圧源E1の直流電圧レベルにクランプしたのと同様の出力信号を出力するようにしている。
【００２７】
次に、マトリクス変換回路５では、図３に示すように、メイン処理回路７とサブ処理回路８と電流帰還型クランプ回路９と切換スイッチSW1とで構成している。
【００２８】
メイン処理回路７は、入力信号として入力される輝度信号（Ｙ）S2と色差信号（R-Y,G-Y,B-Y）S3とに基づいて信号処理を行って出力信号としてＲＧＢ信号S4を出力するように構成している。
【００２９】
サブ処理回路８は、メイン処理回路７と同様の信号処理を行う回路としている。
【００３０】
電流帰還型クランプ回路９は、サブ処理回路８から出力される信号をクランプパルス信号S1のタイミングで予め設定した直流電圧レベルにクランプするためのクランプ電流icをメイン処理回路７とサブ処理回路８とにそれぞれ帰還させるように構成している。
【００３１】
この電流帰還型クランプ回路９は、差動増幅器AMP2の反転入力端子にサブ処理回路８の出力端子を接続する一方、差動増幅器AMP2の非反転入力端子に基準電圧源E3を接続している。
【００３２】
そして、電流帰還型クランプ回路９では、クランプパルス信号S1がアクティブ状態のときに差動増幅器AMP2によってサブ処理回路８の出力信号の電圧レベルと基準電圧源E3の電圧レベルとの差に応じたクランプ電流icを生成し、そのクランプ電流icをメイン処理回路７とサブ処理回路８とに同時に電流帰還させることで、サブ処理回路８の出力信号の電圧レベルと基準電圧源E3の電圧レベルとを一致させ、これによって、サブ処理回路８の出力信号を所定の直流電圧レベル（ここでは、基準電圧源E3の電圧レベル）にクランプするとともに、それと同時にメイン処理回路７の出力信号をも同時に所定の直流電圧レベル（ここでは、基準電圧源E3の電圧レベル）にクランプするようにしている。
【００３３】
切換スイッチSW1は、サブ処理回路８に入力する信号をメイン処理回路７に入力される輝度信号S2と一定電圧の直流電圧信号S5とにモード切替信号S6に応じて切換えるようにしている。
【００３４】
そして、モード切替信号S6が使用モードの場合には、切換スイッチSW1によってサブ処理回路８に輝度信号S2を入力し、一方、モード切替信号S6が検査モードの場合には、切換スイッチSW1によってサブ処理回路８に一定電圧の直流電圧信号S5を入力するようにしている。
【００３５】
そのため、マトリクス変換回路５では、使用モードの場合には、メイン処理回路７に入力する入力信号（輝度信号S2）に基づいて電流帰還型クランプ回路９でメイン処理回路７の出力信号（RGB信号S4）の電圧レベルを一定の直流電圧レベルにクランプし、一方、検査モードの場合には、メイン処理回路７に入力する入力信号（輝度信号S2）に基づくクランプを行わずに、一定電圧の直流電圧信号S5に基づいて電流帰還型クランプ回路９でメイン処理回路７の出力信号（RGB信号S4）の電圧レベルを一定の直流電圧レベルにクランプするようにしている。
【００３６】
これにより、マトリクス変換回路５では、検査モード時にメイン処理回路７に入力する入力信号（輝度信号S2）に基づくクランプを行わないようにしている。
【００３７】
次に、ＲＧＢ信号処理回路６では、図４に示すように、クランプ回路10の入力側で入力信号の配線を分岐し、一方の配線をクランプ回路10に入力し、他方の配線を切換スイッチSW2の一方の端子に接続し、切換スイッチSW2の他方の端子にクランプ回路10の出力信号の配線を接続しており、この切換スイッチSW2をモード切替信号S6で切換えるようにしている。
【００３８】
そして、モード切替信号S6が使用モードの場合には、切換スイッチSW2によってクランプ回路10で入力信号をクランプした出力信号を出力し、一方、検査モードの場合には、切換スイッチSW2によってクランプ回路10を通過させずに入力信号をそのまま出力するようにしている。
【００３９】
以上に説明したようにして、映像信号処理装置１では、通常の動作を行わせる使用時には使用モードとすることで入力信号に基づいて出力信号を所定の直流電圧レベルにクランプすることができるとともに、周波数特性を測定する場合などの検査時には検査モードとすることで入力信号に基づくクランプ動作が行われず、これによって、単一周期の正弦波信号を入力信号として用いて映像信号処理装置の周波数特性などを精度良く測定することができ、映像信号処理装置の性能を向上させることができるようにしている。
【図面の簡単な説明】
【００４０】
【図１】本発明に係る映像信号処理装置を示す回路ブロック図。
【図２】入力クランプ回路を示す回路図。
【図３】マトリクス変換回路を示す回路図。
【図４】ＲＧＢ信号処理回路を示す回路図。
【図５】従来の信号処理回路を示す回路図。
【図６】正弦波信号をクランプした場合の出力波形を示す説明図。
【符号の説明】
【００４１】
１  映像信号処理装置
２  入力クランプ回路
３  輝度信号処理回路
４  色差信号処理回路
５  マトリクス変換回路
６  ＲＧＢ信号処理回路
７  メイン処理回路
８  サブ処理回路
９  電流帰還型クランプ回路
10  クランプ回路
S1  クランプパルス信号
S5  直流電圧信号
S6  モード切替信号
ic  クランプ電流
【図１】
2005269048.tif 000003
【図２】
2005269048.tif 000004
【図３】
2005269048.tif 000005
【図４】
2005269048.tif 000006
【図５】
2005269048.tif 000007
【図６】
2005269048.tif 000008